(57)【特許請求の範囲】
【請求項１】
遺体（２０）の頭部（２１）に着用される布製の烏帽子（１１）と、
該烏帽子（１１）の両側に連続して延び、遺体頭部（２１）から遺体腹部（２３）まで伸びる長さでかつ遺体（２０）の耳（２４）を覆い得る横幅の帯状をなし、ドライアイス（３０）が収納される袋部分（１２Ａ）を有する布製の両帯（１２）と、
を備えたことを特徴とする遺体用衣料。
【請求項２】
両帯（１２）は遺体（２０）の耳（２４）に対応する部位に四角形の布製目隠し布（１３）を有する請求項１記載の遺体用衣料。
【請求項３】
両帯（１２）の遺体（２０）の耳（２４）に対応する部位の内側には綿帯（１２Ｂ）を有する請求項１記載の遺体用衣料。
【発明の詳細な説明】
【技術分野】
【０００１】
本発明は遺体用衣料に関し、特に顔両側のドライアイスが外から見えず、又ドライアイスを容易に交換できるようにした遺体用衣料に関する。
【背景技術】
【０００２】
死亡直後の遺体はそのまま室温などに放置しておくと、腐敗が進行する。特に、臓器等は腐敗しやすく、臓器などの腐敗が進行すると、腐敗ガスや悪臭が発生し、腐敗ガスによって腐敗した内臓や血液が遺体の口から飛び出るおそれがあるので、内臓などの腐敗を防ぐことが大切である。
【０００３】
内臓などの腐敗を防ぐ方法が種々提案されているが（特許文献１、特許文献２、特許文献３）、特別な処置を必要としており、多くの場合にはドライアイスを使用して内蔵などの腐敗を防止することが行われている。
【０００４】
通常、ドライアイスを使用する場合、遺体の湯灌を行い、装束を着せた後、遺体を敷布団に安置して肘関節を曲げて手を腹部の上に配置させ、顔の両側にドライアイスを置き、胸部及び腹部にドライアイスをＴ字状になるように置き、さらに腹部両側にドライアイスを置き、掛布団を掛け、遺体を冷やして内臓の腐敗を抑制することが行われている（特許文献４）。
【０００５】
かかる方法では胸部や腹部は掛布団で覆われているものの、顔は外から見れる状態となっており、顔両側のドライアイスがそのまま通夜式や告別式の参列者に見えるのは遺族にとって心情的に好ましくない。
そこで、ドライアイスを綿帯で包んでドライアイスが外側から見えないようにすることが行われている。
【先行技術文献】
【特許文献】
【０００６】
【特許文献１】特開２００２―５３４０１号
【特許文献２】特開２０００―９５６０１号
【特許文献３】特開２０００―９５６０１号
【特許文献４】特開２００９−２５６３６８号公報
【発明の開示】
【発明が解決しようとする課題】
【０００７】
しかし、ドライアイスはある程度の時間が経過すると、昇華して少なくなり、そのまま放置すると、顔が変色し耳が腫れてくることがあるので、交換する必要があるが、綿帯がドライアイスによって冷却されて顔や耳にくっついてしまい、綿帯を顔や耳から剥がすのに手間がかかって煩わしい一方、綿帯を乱暴に剥がすと顔の皮膚や耳が損傷を受けることがあった。
【０００８】
本発明はかかる問題点に鑑み、顔両側のドライアイスが外から見えず、又ドライアイスを容易に交換できるようにした遺体用衣料を提供することを課題とする。
【課題を解決するための手段】
【０００９】
そこで、本発明に係る遺体用衣料は、遺体の頭部に着用される布製の烏帽子と、該烏帽子の両側に連続して延び、遺体頭部から遺体腹部まで伸びる長さでかつ遺体の耳を覆い得る横幅の帯状をなし、ドライアイスが収納される袋部分を有する布製の両帯と、を備えたことを特徴とする。
【００１０】
本発明の特徴の１つは烏帽子に両帯を延設させ、両帯の袋部分にドライアイスを収納できるようにした点にある。
これにより、両帯のドライアイスによって遺体の顔、遺体胸部及び腹部を冷却することができ、又遺体の顔両側に綿帯で包んだドライアイスを置く場合にも綿帯が顔や耳に触れないので、綿帯が顔や耳にくっついてしまうことがなく、ドライアイスを交換する時に綿帯を顔や耳から剥がす手間を必要とせず、顔の皮膚や耳が損傷を受けるおそれもない。
【００１１】
綿帯に包んだドライアイスを遺体の顔両側に置いた場合、ドライアイスを支えるものがないと、ドライアイスが滑ってしまうが、かかる支えや綿帯がそのまま見えると見栄えが損なわれるおそれがある。そこで、両帯に顔両側を覆う目隠し布を設けて、ドライアイスの綿帯や支えを隠すようにするのがよい。
【００１２】
また、ドライアイスが両帯の布を通して顔の皮膚や耳に触れると、顔の皮膚や耳が冷えすぎ、皮膚や耳が凍結するおそれがある。そこで、両帯の内側に綿帯を設けて、皮膚や耳が冷えすぎるのを抑制することもできる。
【００１３】
また、両帯を遺体の胸部で交叉するようにすると、胸部及び腹部を効率よく冷却することができるが、腹部両側が冷却され難くなる。そこで、両側に袋部分を有する布製の腹帯をさらに組み合わせるようにするのがよい。
また、死亡してから時間が経過すると、遺体の口が開くことがあり、見栄えがよくない。通常、ゴムバンドなどを頭頂と顎との間に掛けわたして遺体の口が開くのを防ぐようにしているが、本発明の場合には烏帽子を使用しているので、烏帽子に左右のゴム帯の一端部を縫合し、ゴム帯を顎に引っ掛けて他端部を面ファスナーで締着することによって遺体の口が開くのを防ぐようにすることもできる。
【図面の簡単な説明】
【００１４】
【図１】本発明に係る遺体用衣料の好ましい実施形態を示す概略斜視図である。
【図２】上記実施形態の使用例を示す図である。
【発明を実施するための形態】
【００１５】
以下、本発明を図面に示す具体例に基づいて詳細に説明する。図１及び図２は本発明に係る遺体用衣料の好ましい実施形態を示す。図において、遺体用衣料１０は布製の烏帽子１１、布製の両帯１２、布製の目隠し布１３及び布製の腹帯１４から構成されている。
【００１６】
烏帽子１１は天冠の代用をなすものであって、遺体２０の頭部２１に着用される。布製の帯１２は烏帽子１１の両側に連続して設けられ、両帯１２は帯状の布を、遺体２０の頭部２１から遺体腹部２３まで伸びる長さでかつ遺体２０の耳２４を覆い得る横幅の帯袋状に縫製して製作され、帯１２の一端は烏帽子１１に縫合され、他端は開放され、袋部分にはドライアイス３０が収納されるようになっている。
【００１７】
両帯１２の遺体２０の耳２４に対応する部位には四角形の布製目隠し布１３の前端縁が縫合され、又両帯１２の遺体２０の耳２４に対応する部位の内側には耳２４を保護する綿帯１２Ｂが配置されて固着されている。
【００１８】
他方、腹帯１４は四角形帯状の布の両側部分を折り返して縫合して袋部分１４Ａが形成されてドライアイス３０が収納できるようになっている。
【００１９】
本例の遺体用衣料１０を使用する場合、図２に示されるように、烏帽子１１を湯灌の済んだ遺体２０の頭部に烏帽子１１を被せ、両帯１２の袋部分１２Ａにドライアイス１０を収納して胸部２２の前で交叉させ、袋部分１４Ａにドライアイス３０を収納した腹帯１４を遺体２０の腹部２３に被せてドライアイス３０を腹部２３の両側に置き、遺体２０の肘関節２５を曲げて手を腹部２３の上に配置させ、顔２６の両側に、綿帯で包んだドライアイス３０を置いて目隠し１３で隠した後、掛布団を掛け、遺体を冷やす。
【００２０】
以上のように、両帯１２のドライアイス３０によって遺体２０の顔２６、遺体胸部２２及び腹部２３を冷却することができ、又遺体２０の顔両側のドライアイス３０の綿帯が顔２６や耳２４に触れないので、綿帯が顔２６や耳２４にくっついてしまうことがなく、ドライアイス３０を交換するときに綿帯を顔２６や耳２４から剥がす手間を必要とせず、又顔２６の皮膚や耳２４が損傷を受けるおそれもない。
【００２１】
また、両帯１２に顔両側を覆う目隠し布１３を設けて、ドライアイス３０の綿帯や支えを隠すようにしているので、見栄えが悪くなることがない。
【００２２】
なお、烏帽子、両帯、目隠し布及び腹帯は白い布を用いるが、装飾を施した布を用いることもできる。
また、烏帽子に左右のゴム帯の一端部を固着し、ゴム帯を顎に引っ掛けて他端部を面ファスナーで締着することによって遺体の口が開くのを防ぐようにすることもできる。
【符号の説明】
【００２３】
１０      遺体用衣料
１１      烏帽子
１２      両帯
１２Ａ      袋部分
１３      目隠し布
１４      腹帯
１４Ａ      袋部分
２０      遺体
２１      頭部
２２      胸部
２３      腹部
２４      耳
２５      肘関節
２６      顔
３０      ドライアイス
【図１】
0006645852.tif 000002
【図２】
0006645852.tif 000003